(57)【要約】  プラズマディスプレイパネルは、互いに対向する第１基板（１２）および第２基板（１４）を有している。第１基板（１２）は、電極対（ＸＥ、ＹＥ）、誘電体層（ＤＬ１、ＤＬ２）、アドレス電極（ＡＥ）および反射防止膜（ＡＲ）を有している。なお、電極対（ＸＥ、ＹＥ）は、第１方向（Ｄ１）に延在し、間隔を置いて配置される第１および第２バス電極（Ｘｂ、Ｙｂ）を含んで構成されている。第２基板（１４）は、第１方向（Ｄ１）と交差する第２方向（Ｄ２）に延在し、間隔を置いて配置される第１隔壁（ＢＲ）を有している。そして、互いに対をなす第１および第２バス電極（Ｘｂ、Ｙｂ）と、互いに隣接する一対の第１隔壁（ＢＲ）とで囲われる領域にセルが形成される。また、アドレス電極（ＡＥ）は、電極対（ＸＥ、ＹＥ）を覆う誘電体層（ＤＬ１）上に設けられ、第２方向（Ｄ２）に延在し、第１隔壁（ＢＲ）に対向している。反射防止膜（ＡＲ）は、誘電体層（ＤＬ１）上にアドレス電極（ＡＥ）と同じ材料で形成され、第２方向（Ｄ２）に沿って互いに隣接するセルの間に配置されている。この結果、明室コントラストを向上できる。
2009016689.tif 000002
【特許請求の範囲】
【請求項１】
放電空間を介して互いに対向する第１基板および第２基板と、
前記第１基板上に、第１方向に延在し、間隔を置いて配置された第１および第２バス電極を含んで構成される電極対と、
前記第２基板上に設けられ、前記第１方向と交差する第２方向に延在し、間隔を置いて配置された複数の第１隔壁と、
互いに対をなす前記第１および第２バス電極と、互いに隣接する一対の前記第１隔壁とで囲われる領域に形成されたセルと、
前記第１基板上に設けられ、前記電極対を覆う誘電体層と、
前記誘電体層上に設けられ、前記第２方向に延在し、前記第１隔壁に対向する複数のアドレス電極と、
前記誘電体層上に前記アドレス電極と同じ材料で形成され、前記第２方向に沿って互いに隣接する前記セルの間に配置された反射防止膜とを備えていることを特徴とするプラズマディスプレイパネル。
【請求項２】
請求項１記載のプラズマディスプレイパネルにおいて、
前記反射防止膜は、前記アドレス電極から電気的に離れて配置されていることを特徴とするプラズマディスプレイパネル。
【請求項３】
請求項１記載のプラズマディスプレイパネルにおいて、
前記第２基板上に設けられ、前記第１方向に延在し、前記第１、第２バス電極および前記反射防止膜に対向する第２隔壁を備えていることを特徴とするプラズマディスプレイパネル。
【請求項４】
請求項１記載のプラズマディスプレイパネルにおいて、
前記反射防止膜の一部は、前記第１および第２バス電極の少なくとも一方に対向していることを特徴とするプラズマディスプレイパネル。
【請求項５】
請求項１記載のプラズマディスプレイパネルにおいて、
前記アドレス電極および前記反射防止膜は、クロム、銅およびクロムの順に積層された３層膜により構成されていることを特徴とするプラズマディスプレイパネル。
【発明の詳細な説明】
【技術分野】
【０００１】
本発明は、ディスプレイ装置に使用するプラズマディスプレイパネルに関する。
【背景技術】
【０００２】
プラズマディスプレイパネル（ＰＤＰ）は、２枚のガラス基板を互いに貼り合わせて構成されており、ガラス基板の間に形成される空間に放電光を発生させることで画像を表示する。画像における画素に対応するセルは、自発光型であり、放電により発生する紫外線を受けて赤、緑、青の可視光を発生する蛍光体が塗布されている。【０００３】
例えば、Ｘ、Ｙ電極およびアドレス電極を有する３電極構造のＰＤＰは、Ｘ電極およびＹ電極で構成される電極対でサステイン放電を発生させることで、画像を表示する。サステイン放電を発生させるセル（点灯させるセル）は、例えば、Ｙ電極およびアドレス電極間で選択的にアドレス放電を発生させることにより、選択される。【０００４】
一般的なＰＤＰでは、ＸおよびＹ電極で構成される電極対が間隔を置いて前面ガラス基板に配置され、Ｘ電極の直交方向に延在する隔壁および互いに隣接する隔壁の間に配置されたアドレス電極が背面ガラス基板に配置されている。例えば、Ｘ電極は、Ｘバス電極とＸ透明電極とにより構成され、Ｙ電極は、Ｙバス電極とＹ透明電極とにより構成される。そして、セルは、互いに対をなすＸバス電極およびＹバス電極と、互いに隣接する一対の隔壁とで囲われる領域に形成される。【０００５】
この種のＰＤＰでは、アドレス電極の延在する方向に沿って互いに隣接する２つのセルは、一方のセルでサステイン放電を発生させるきに、他方のセルで誤放電が発生することを防止するために、間隔を置いて配置されている。すなわち、アドレス電極の延在する方向に沿って隣接する２つのセルの間に、発光に寄与しない非発光領域が形成される。非発光領域における光の反射率が高い場合、非発光領域に入射した外光が反射し、画像のコントラストが低下してしまうという問題が発生する。【０００６】
例えば、非発光領域に蛍光体が塗布されている場合、非発光状態の蛍光体は、白色に近いため、光の反射率が高い。あるいは、非発光領域における背面ガラス基材上にＸバス電極の延在する方向に沿って隔壁が形成されている場合、一般的な隔壁は、黒色化されていないため、光の反射率が高い。非発光領域（より具体的には、互いに隣接するＸバス電極およびＹバス電極間）に反射防止膜を設けることにより、外光の反射量を減らし、画像のコントラストの低下を抑制する技術が提案されている（例えば、特許文献１参照）。【０００７】
また、近年、Ｘ電極およびＹ電極とアドレス電極の３電極を前面ガラス基板に配置したＰＤＰが提案されている（例えば、特許文献２参照）。
【特許文献１】特開２００５−１２９３１９号公報
【特許文献２】特開２００５−１１６５０８号公報
【発明の開示】
【発明が解決しようとする課題】
【０００８】
特許文献１では、バス電極（Ｘ、Ｙバス電極）は、黒色電極と白色電極との２層膜で構成される。そして、反射防止膜は、バス電極の黒色電極と同じ材料で形成され、ＸおよびＹ電極が形成される面（前面ガラス基材）の非発光領域に、ＸおよびＹ電極（ＸおよびＹバス電極）から離れて配置されている。しかしながら、輝度を向上させるためにセル面積を大きくした場合、非発光領域（互いに隣接するＸバス電極およびＹバス電極間）の幅が小さくなり、反射防止膜の幅が小さくなる。あるいは、反射防止膜を設けることができなくなる。この場合、外光の反射量を十分に減らすことができず、画像のコントラスト、特に、明るい部屋等でＰＤＰに画像を表示したときのコントラスト（明室コントラスト）が低下する。なお、前面ガラス基板上に３電極を有するＰＤＰにおいて、明室コントラストを向上させる発明は、提案されていない。【０００９】
本発明の目的は、前面ガラス基板上に３電極を有するＰＤＰにおいて、明室コントラストを向上させることである。
【課題を解決するための手段】
【００１０】
プラズマディスプレイパネルは、互いに対向する第１基板および第２基板を有している。第１基板は、電極対、誘電体層、アドレス電極および反射防止膜を有している。なお、電極対は、第１方向に延在し、間隔を置いて配置される第１および第２バス電極を含んで構成されている。第２基板は、第１方向と交差する第２方向に延在し、間隔を置いて配置される第１隔壁を有している。そして、互いに対をなす第１および第２バス電極と、互いに隣接する一対の第１隔壁とで囲われる領域にセルが形成される。また、アドレス電極は、電極対を覆う誘電体層上に設けられ、第２方向に延在し、第１隔壁に対向している。反射防止膜は、誘電体層上にアドレス電極と同じ材料で形成され、第２方向に沿って互いに隣接するセルの間に配置されている。
【発明の効果】
【００１１】
本発明では、前面ガラス基板上に３電極を有するＰＤＰにおいて、明室コントラストを向上させることができる。
【図面の簡単な説明】
【００１２】
【図１】本発明の第１の実施形態におけるＰＤＰの要部の分解斜視図である。
【図２】図１に示したＰＤＰの説明図である。
【図３】図２に示したＰＤＰのＡ−Ａ’線に沿う断面図である。
【図４】図２に示したＰＤＰのＢ−Ｂ’線に沿う断面図である。
【図５】図１に示したＰＤＰを用いて構成されたプラズマディスプレイ装置の一例を示す分解斜視図である。
【図６】図５に示した回路部の概要を示すブロック図である。
【図７】図１に示したＰＤＰに画像を表示するためのサブフィールドの放電動作の例を示す波形図である。
【図８】本発明の第２の実施形態におけるＰＤＰの要部の説明図である。
【図９】図８に示したＰＤＰのＡ−Ａ’線に沿う断面図である。
【図１０】図８に示したＰＤＰのＢ−Ｂ’線に沿う断面図である。
【図１１】本発明の変形例におけるＰＤＰの断面図である。
【図１２】本発明の別の変形例におけるＰＤＰの電極構成を示す説明図である。
【発明を実施するための最良の形態】
【００１３】
以下、本発明の実施形態を図面を用いて説明する。【００１４】
図１は、本発明の第１の実施形態におけるプラズマディスプレイパネル（以下、ＰＤＰとも称する）の要部を示している。図中の矢印Ｄ１は、第１方向Ｄ１を示し、矢印Ｄ２は、第１方向Ｄ１に画像表示面に平行な面内で直交する第２方向Ｄ２を示している。ＰＤＰ１０は、画像表示面を構成する前面基板部１２と、前面基板部１２に対向する背面基板部１４とにより構成されている。前面基板部１２と背面基板部１４の間（より詳細には、背面基板部１４の凹部）に放電空間ＤＳが形成される。【００１５】
前面基板部１２は、ガラス基材ＦＳ（第１基板）上（図では下側）に第１方向Ｄ１に沿って平行に形成され、第２方向Ｄ２に沿って交互に形成されたＸバス電極Ｘｂ（第１バス電極）およびＹバス電極Ｙｂ（第２バス電極）を有している。Ｘバス電極Ｘｂには、Ｘバス電極ＸｂからＹバス電極Ｙｂに向けて第２方向Ｄ２に延在するＸ透明電極Ｘｔが接続されている。また、Ｙバス電極Ｙｂには、Ｙバス電極ＹｂからＸバス電極Ｘｂに向けて第２方向Ｄ２に延在するＹ透明電極Ｙｔが接続されている。図の例では、Ｘ透明電極ＸｔおよびＹ透明電極Ｙｔは、第２方向Ｄ２に沿って対向している。【００１６】
ここで、Ｘバス電極ＸｂおよびＹバス電極Ｙｂは、金属材料等で形成された不透明な電極であり、Ｘ透明電極ＸｔおよびＹ透明電極Ｙｔは、ＩＴＯ膜等で形成された光を透過する透明電極である。そして、Ｘ電極ＸＥ（維持電極）は、Ｘバス電極ＸｂおよびＸ透明電極Ｘｔにより構成され、Ｙ電極ＹＥ（走査電極）は、Ｙバス電極ＹｂおよびＹ透明電極Ｙｔにより構成される。Ｘ電極ＸＥおよびＹ電極ＹＥで構成される電極対（より具体的には、Ｘ透明電極ＸｔおよびＹ透明電極Ｙｔ間）で繰り返して放電（サステイン放電）を発生させる。なお、電極対は、Ｘバス電極ＸｂおよびＹバス電極Ｙｂを含んで構成されている。【００１７】
また、透明電極ＸｔおよびＹｔは、それぞれが接続されるバス電極ＸｂおよびＹｂとガラス基材ＦＳとの間に全面に配置されてもよい。なお、バス電極ＸｂおよびＹｂと同じ材料（金属材料等）で、バス電極ＸｂおよびＹｂと一体の電極が透明電極ＸｔおよびＹｔの代わりに形成されてもよい。【００１８】
電極Ｘｂ、Ｘｔ、Ｙｂ、Ｙｔは、誘電体層ＤＬ１に覆われている。例えば、誘電体層ＤＬ１は、ＣＶＤ法により形成された二酸化シリコン膜等の絶縁膜である。そして、誘電体層ＤＬ１上（図では下側）には、バス電極Ｘｂ、Ｙｂの直交方向（第２方向Ｄ２）に延在する複数のアドレス電極ＡＥが設けられている。例えば、アドレス電極ＡＥは、クロム、銅およびクロムの順に積層された３層膜により構成され、外光が入射される側の表面（例えば、クロム層の表面）が黒色化している。このように、この実施形態のＰＤＰは、前面基板部１２に３電極（電極ＸＥ、ＹＥ、ＡＥ）を有している。【００１９】
また、誘電体層ＤＬ１上には、アドレス電極ＡＥと同じ材料で形成され、第２方向に沿って互いに隣接するセルの間に、アドレス電極ＡＥから離れて配置された反射防止膜ＡＲが設けられている。ここで、１つのセル（一色の画素）は、後述する図２に示すように、互いに対をなすバス電極Ｘｂ、Ｙｂと隔壁ＢＲ１（第１隔壁）とで囲われる領域に形成される。【００２０】
例えば、アドレス電極ＡＥおよび反射防止膜ＡＲは、スパッタ法や蒸着法により金属微粒子を誘電体層ＤＬ１の表面に付着（例えば、クロム、銅およびクロムの順に積層）した後に、エッチング工程を用いてアドレス電極ＡＥおよび反射防止膜ＡＲのパターンにそれぞれ形成される。このように、反射防止膜ＡＲは、アドレス電極ＡＥと同じ工程で形成される。すなわち、この実施形態では、製造工程を煩雑にすることなく、反射防止膜ＡＲを形成できる。また、反射防止膜ＡＲは、アドレス電極ＡＥと同じ材料で形成されているため、黒色化している。これにより、反射防止膜ＡＲに入射した外光の反射量は減少する。この結果、この実施形態では、第２方向Ｄ２に沿って互いに隣接するセル間での外光の反射量を少なくすることができ、画像のコントラストを向上できる。すなわち、画像の品位を向上できる。【００２１】
アドレス電極ＡＥおよび反射防止膜ＡＲは、誘電体層ＤＬ２に覆われており、誘電体層ＤＬ２の表面は、保護層ＰＬに覆われている。例えば、保護層ＰＬは、放電を発生しやすくするために、陽イオンの衝突による２次電子の放出特性の高いＭｇＯ膜で形成される。なお、アドレス電極ＡＥ、反射防止膜ＡＲおよび誘電体層ＤＬ１は、誘電体層ＤＬ２を設けずに、保護層ＰＬに直接覆われてもよい。【００２２】
放電空間ＤＳを介して前面基板部１２に対向する背面基板部１４は、ガラス基材ＲＳ（第２基板）上に、互いに平行に形成された隔壁（バリアリブ、第１隔壁）ＢＲ１を有している。例えば、隔壁ＢＲ１は、サンドブラスト法でガラス基材ＲＳを削ることにより、ガラス基材ＲＳと一体に形成される。隔壁ＢＲ１は、バス電極Ｘｂ、Ｙｂに直交する方向（第２方向Ｄ２）に延在し、アドレス電極ＡＥに対向している。換言すれば、アドレス電極ＡＥは、隔壁ＢＲ１に対向する位置に配置されている。隔壁ＢＲ１により、セルの側壁が構成される。さらに、隔壁ＢＲ１の側面と、互いに隣接する隔壁ＢＲ１の間のガラス基材ＲＳ上とには、紫外線により励起されて赤（Ｒ）、緑（Ｇ）、青（Ｂ）の可視光を発生する蛍光体ＰＨｒ、ＰＨｇ、ＰＨｂが、それぞれ塗布されている。【００２３】
ＰＤＰ１０の１つの画素は、赤、緑および青の光を発生する３つのセルにより構成される。このように、ＰＤＰ１０は、画像を表示するためにセルをマトリックス状に配置し、かつ互いに異なる色の光を発生する複数種のセルを交互に配列して構成されている。特に図示していないが、バス電極Ｘｂ、Ｙｂに沿って形成されたセルにより、表示ラインが構成される。【００２４】
ＰＤＰ１０は、前面基板部１２および背面基板部１４を、保護層ＰＬと隔壁ＢＲ１が互いに接するように貼り合わせ、Ｎｅ、Ｘｅ等の放電ガスを放電空間ＤＳに封入することで構成される。【００２５】
図２は、図１に示したＰＤＰ１０の概要を示している。なお、図２は、画像表示面側（図１の上側）から見た電極Ｘｂ、Ｘｔ、Ｙｂ、Ｙｔ、ＡＥ、反射防止膜ＡＲおよび隔壁ＢＲ１の状態を示している。図中の網掛け部分は、アドレス電極ＡＥおよび反射防止膜ＡＲを示している。【００２６】
上述したように、セルＣ１は、互いに対をなすバス電極Ｘｂ、Ｙｂと互いに隣接する一対の隔壁ＢＲ１とで囲われる領域（図の破線で囲んだ領域）に形成される。なお、セルは、図に示したセルＣ１を形成するバス電極Ｘｂ、Ｙｂ部分とセルＣ１に対応するアドレス電極ＡＥ（図では、セルＣ１の左側のアドレス電極ＡＥ）の一部分を含んで定義される場合もある。また、画像表示面側から見た場合、各セルＣ１の放電空間ＤＳは、互いに隣接する隔壁ＢＲ１の間に形成される。【００２７】
反射防止膜ＡＲは、第２方向Ｄ２に沿って互いに隣接するセルＣ１間に形成された発光に寄与しない領域（以下、非発光領域とも称する）に、配置されている。例えば、反射防止膜ＡＲの第１方向Ｄ１に沿う縁部ＥＧ１およびＥ２は、バス電極Ｘｂの縁部ＥＧ３およびバス電極Ｙｂの縁部ＥＧ４とそれぞれ同じ位置である。反射防止膜ＡＲにより、非発光領域に入射した外光の反射量は減少する。なお、図の例では、反射防止膜ＡＲは、アドレス電極ＡＥから離れて配置されている。これにより、アドレス電極ＡＥの寄生容量が増加することを防止でき、アドレス電極ＡＥに電圧を印加する回路（例えば、後述する図６に示すアドレスドライバＡＤＲＶ）の駆動電力が増加することを防止できる。【００２８】
この実施形態では、セルＣ１に対応するアドレス電極ＡＥ、透明電極Ｙｔ、Ｘｔは、第１方向Ｄ１に沿って左側から順番に配置されている。このため、アドレス電極ＡＥと透明電極Ｙｔ間に電圧を印加することにより、着目するセルＣ１の放電空間ＤＳでアドレス放電を発生させることができる。このとき、隔壁ＢＲ１も誘電体層の一部として作用し、アドレス電極ＡＥと透明電極Ｙｔ間の電界が放電空間ＤＳに生ずる。また、アドレス電極ＡＥを挟んで第１方向Ｄ１に互いに隣接する２つのセルＣ１において、一方のセルＣ１の透明電極Ｙｔのみがアドレス電極ＡＥに隣接する。このため、着目するセルＣ１（一方のセルＣ１）のアドレス電極ＡＥと透明電極Ｙｔ間でアドレス放電を発生させるとき（アドレス期間）に、着目するセルＣ１に隣接するセルＣ１（他方のセルＣ１）で誤放電が発生することを防止できる。【００２９】
図３および図４は、図２に示したＰＤＰ１０の断面を示している。なお、図３は、図２のＡ−Ａ’線に沿うＰＤＰ１０の断面を示し、図４は、図２のＢ−Ｂ’線に沿うＰＤＰ１０の断面を示している。なお、図３に示した蛍光体ＰＨは、蛍光体ＰＨｒ、ＰＨｇ、ＰＨｂのいずれかであり、以下、可視光の色毎に区別しない場合等、蛍光体ＰＨｒ、ＰＨｇ、ＰＨｂを、蛍光体ＰＨとも称する。【００３０】
図３に示すように、反射防止膜ＡＲは、電極ＸＥおよびＹＥ（バス電極ＸｂおよびＹｂ、透明電極ＸｔおよびＹｔ）を覆う誘電体層ＤＬ１上に形成されている。これにより、この実施形態では、上述したように、反射防止膜ＡＲの縁部ＥＧ１およびＥ２を、バス電極Ｘｂの縁部ＥＧ３およびバス電極Ｙｂの縁部ＥＧ４とそれぞれ同じ位置にできる。したがって、互いに隣接するバス電極ＸｂおよびＹｂ間（縁部ＥＧ３と縁部ＥＧ４との間）を通過して蛍光体ＰＨに入射する外光ＯＰＴの量は、反射防止膜ＡＲにより、十分に少なくなる。なお、反射防止膜ＡＲに入射した外光ＯＰＴの反射量は、反射防止膜ＡＲが黒色化しているため、少ない。この結果、この実施形態では、互いに隣接するバス電極ＸｂおよびＹｂ間を通過した外光ＯＰＴの反射量を少なくすることができ、明室コントラストを向上できる。【００３１】
図４に示すように、隔壁ＢＲ１に入射する外光ＯＰＴの量は、アドレス電極ＡＥにより減少する。なお、アドレス電極ＡＥに入射した外光ＯＰＴの反射量は、アドレス電極ＡＥが黒色化しているため、少ない。また、上述したように、非発光領域に塗布された蛍光体ＰＨｒ、ＰＨｇ、ＰＨｂに入射する外光ＯＰＴの量は、反射防止膜ＡＲにより減少し、反射防止膜ＡＲに入射した外光ＯＰＴの反射量は、反射防止膜ＡＲが黒色化しているため、少ない。この結果、この実施形態では、非発光領域に入射した外光ＯＰＴの反射量を少なくすることができ、明室コントラストを向上できる。【００３２】
図５は、図１に示したＰＤＰ１０を用いて構成されたプラズマディスプレイ装置の一例を示している。プラズマディスプレイ装置（以下、ＰＤＰ装置とも称する）は、ＰＤＰ１０、ＰＤＰ１０の画像表示面１６側（光の出力側）に設けられる光学フィルタ２０、ＰＤＰ１０の画像表示面１６側に配置された前筐体３０、ＰＤＰ１０の背面１８側に配置された後筐体４０およびベースシャーシ５０、ベースシャーシ５０の後筐体４０側に取り付けられ、ＰＤＰ１０を駆動するための回路部６０、およびＰＤＰ１０をベースシャーシ５０に貼り付けるための両面接着シート７０を有している。回路部６０は、複数の部品で構成されるため、図では、破線の箱で示している。光学フィルタ２０は、前筐体３０の開口部３２に取り付けられる保護ガラス（図示せず）に貼付される。なお、光学フィルタ２０は、電磁波を遮蔽する機能を有することもある。また、光学フィルタ２０は、保護ガラスではなく、ＰＤＰ１０の画像表示面１６側に直接貼付されることもある。【００３３】
図６は、図１に示したＰＤＰ１０を駆動するための回路部６０の概要を示している。回路部６０は、バス電極Ｘｂに共通のパルスを印加するＸドライバＸＤＲＶ、バス電極Ｙｂに選択的にパルスを印加するＹドライバＹＤＲＶ、アドレス電極ＡＥに選択的にパルスを印加するアドレスドライバＡＤＲＶ、ドライバＸＤＲＶ、ＹＤＲＶ、ＡＤＲＶの動作を制御する制御部ＣＮＴおよび電源部ＰＷＲを有している。ドライバＸＤＲＶ、ＹＤＲＶ、ＡＤＲＶは、ＰＤＰ１０を駆動する駆動部として動作する。電源部ＰＷＲは、ドライバＹＤＲＶ、ＸＤＲＶ、ＡＤＲＶに供給する電源電圧Ｖｓｃ、Ｖｓ／２、−Ｖｓ／２、Ｖｓａ等を生成する。【００３４】
制御部ＣＮＴは、画像データＲ０−７、Ｇ０−７、Ｂ０−７に基づいて使用するサブフィールドを選択し、ドライバＹＤＲＶ、ＸＤＲＶ、ＡＤＲＶに制御信号ＹＣＮＴ、ＸＣＮＴ、ＡＣＮＴを出力する。ここで、サブフィールドは、ＰＤＰ１０の１画面を表示するための１フィールドが分割されたフィールドであり、サブフィールド毎にサステイン放電の回数が設定されている。そして、画素を構成するセルＣ１毎に、使用するサブフィールドを選択することにより、多階調の画像が表示される。【００３５】
図７は、図１に示したＰＤＰ１０に画像を表示するためのサブフィールドにおける放電動作の一例を示している。図中の星印は、放電の発生を示している。各サブフィールドＳＦは、リセット期間ＲＳＴ、アドレス期間ＡＤＲ、サステイン期間ＳＵＳおよび消去期間ＥＲＳにより構成される。なお、消去期間ＥＲＳは、点灯したセルのみの壁電荷を減少させるための放電を発生させる期間のため、サステイン期間ＳＵＳに含めて定義される場合もある。【００３６】
まず、リセット期間ＲＳＴでは、緩やかに下降する負の電圧（鈍波）が、維持電極ＸＥ（バス電極Ｘｂおよび透明電極Ｘｔ）に印加され、正の電圧が、走査電極ＹＥ（バス電極Ｙｂおよび透明電極Ｙｔ）に印加される（図７（ａ））。そして、維持電極ＸＥは、負の書き込み電圧に維持され、緩やかに上昇する正の書き込み電圧（書き込み鈍波）が走査電極ＹＥに印加される（図７（ｂ））。これにより、セルの発光を抑えながら維持電極ＸＥと走査電極ＹＥに正と負の壁電荷がそれぞれ蓄積される。次に、維持電極ＸＥに正の調整電圧が印加され、負の調整電圧（調整鈍波）が走査電極ＹＥに印加される（図７（ｃ））。これにより、維持電極ＸＥと走査電極ＹＥにそれぞれ蓄積された正と負の壁電荷の量が減るとともに、全てのセルの壁電荷が等しくなる。なお、例えば、正の調整電圧は、電圧Ｖｓ／２より低い電圧であり、負の調整電圧の最小値は、電圧−Ｖｓ／２より高い電圧である。【００３７】
アドレス期間ＡＤＲでは、アドレス放電時に陽極となるスキャン電圧が維持電極ＸＥに印加され、アドレス放電時に陰極となるスキャンパルスが走査電極ＹＥに印加され、アドレス放電時に陽極となるアドレスパルス（電圧Ｖｓａ）が、点灯するセルに対応するアドレス電極ＡＥに印加される（図７（ｄ））。スキャンパルスとアドレスパルスにより選択されたセルは、一時的に放電する。【００３８】
すなわち、走査電極ＹＥとアドレス電極ＡＥ間には、放電を発生させる最低電圧（放電開始電圧）以上の電圧が印加され、維持電極ＸＥとアドレス電極ＡＥ間には、放電開始電圧より低い電圧が印加される。これにより、着目するセルのアドレス電極ＡＥと走査電極ＹＥ間でアドレス放電を発生させるときに、隣接するセルの維持電極ＸＥとアドレス電極ＡＥ間で誤放電が発生することを防止できる。アドレス電極ＡＥの波形に示される２回目のアドレスパルスは、他の表示ラインの放電セルを選択するために印加される（図７（ｅ））。【００３９】
サステイン期間ＳＵＳでは、負および正のサステインパルスが、維持電極ＸＥおよび走査電極ＹＥにそれぞれ印加される（図７（ｆ、ｇ））。これにより、点灯したセルの放電状態が維持される。互いに極性の異なるサステインパルスが、維持電極ＸＥおよび走査電極ＹＥに繰り返して印加されることにより、サステイン期間ＳＵＳに点灯したセルの放電（サステイン放電）が繰り返し行われる。【００４０】
消去期間ＥＲＳでは、負の消去前パルスと正の高電圧の消去前パルスが、維持電極ＸＥおよび走査電極ＹＥにそれぞれ印加され、放電が発生する（図７（ｈ））。これにより、壁電荷が、維持電極ＸＥおよび走査電極ＹＥに蓄積される。この際、走査電極ＹＥは、電圧Ｖｓ／２より高い電圧が印加されるため、蓄積される壁電荷の量は相対的に多くなる。次に、正の消去パルスと負の消去パルスが、維持電極ＸＥおよび走査電極ＹＥにそれぞれ印加される（図７（ｉ））。これにより、放電が起こるが、２電極間に印加されている電圧値の差がサステイン期間ＳＵＳの電圧値の差よりも低いため、壁電荷の量がサステイン期間ＳＵＳに比べて減る。【００４１】
以上、第１の実施形態では、反射防止膜ＡＲは、電極ＸＥおよびＹＥを覆う誘電体層ＤＬ１上に、アドレス電極ＡＥと同じ工程および材料で形成される。これにより、この実施形態では、製造工程を煩雑にすることなく、第２方向Ｄ２に沿って互いに隣接するセルＣ１間（非発光領域）に、反射防止膜ＡＲを形成できる。この結果、この実施形態では、第２方向Ｄ２に沿って互いに隣接するセルＣ１間での外光ＯＰＴの反射量を少なくすることができ、画像のコントラストを向上できる。すなわち、画像の品位を向上できる。【００４２】
図８は、本発明の第２の実施形態におけるＰＤＰ１０の概要を示している。なお、図８は、画像表示面側（後述する図９の上側）から見た状態を示している。この実施形態では、第１の実施形態に隔壁ＢＲ２（第２隔壁）が追加されて構成されている。その他の構成は、第１の実施形態と同じである。第１の実施形態で説明した要素と同一の要素については、同一の符号を付し、これ等については、詳細な説明を省略する。また、この実施形態のＰＤＰ１０を用いたＰＤＰ装置およびＰＤＰ１０に画像を表示するための放電動作は、第１の実施形態（図５−図７）と同じである。【００４３】
ＰＤＰ１０は、第１方向Ｄ１に延在する隔壁ＢＲ２を有し、隔壁ＢＲ１およびＢＲ２により構成される格子状の隔壁を有している。例えば、隔壁ＢＲ２は、サンドブラスト法でガラス基材ＲＳを削ることにより、ガラス基材ＲＳおよび隔壁ＢＲ１と一体に形成される。なお、隔壁ＢＲ２は、画像表示面側から見た場合、バス電極Ｘｂ、Ｙｂおよび反射防止膜ＡＲに重なる位置に設けられ、第２方向Ｄ２に沿って互いに隣接する２つのセルＣ１の放電空間ＤＳを互いに分離している。【００４４】
図９および図１０は、図８に示したＰＤＰ１０の断面を示している。なお、図９は、図８のＡ−Ａ’線に沿うＰＤＰ１０の断面を示し、図１０は、図８のＢ−Ｂ’線に沿うＰＤＰ１０の断面を示している。【００４５】
図９に示すように、隔壁ＢＲ２は、バス電極Ｘｂ、Ｙｂおよび反射防止膜ＡＲに対向する位置に設けられているため、バス電極Ｘｂ、Ｙｂは、放電空間ＤＳに露出していない。すなわち、隔壁ＢＲ２は、第２方向Ｄ２に沿って互いに隣接する２つのセルＣ１において、一方のセルＣ１のバス電極Ｘｂと他方のセルＣ１のバス電極Ｙｂ（あるいは、一方のセルＣ１のバス電極Ｙｂと他方のセルＣ１のバス電極Ｘｂ）との間の誤放電の発生を防止する。これにより、互いに隣接するバス電極ＸｂおよびＹｂ間（第２方向Ｄ２に沿って互いに隣接するセルＣ１間）の距離を、第１の実施形態に比べて小さくできる。【００４６】
なお、この実施形態では、電極ＸＥおよびＹＥを覆う誘電体層ＤＬ１上に反射防止膜ＡＲを形成しているため、互いに隣接するバス電極ＸｂおよびＹｂ間の距離（バス電極Ｘｂの縁部ＥＧ３とバス電極Ｙｂの縁部ＥＧ４との距離）が小さい場合でも、非発光領域に反射防止膜ＡＲを設けることができる。例えば、反射防止膜ＡＲは、上述した第１の実施形態と同様に、アドレス電極ＡＥと同じ工程および材料（クロム、銅およびクロムの順に積層された金属膜）で形成される。【００４７】
したがって、互いに隣接するバス電極ＸｂおよびＹｂ間を通過して隔壁ＢＲ２に入射する外光ＯＰＴの量は、反射防止膜ＡＲにより、十分に少なくなる。なお、反射防止膜ＡＲに入射した外光ＯＰＴの反射量は、反射防止膜ＡＲが黒色化しているため、少ない。この結果、この実施形態では、互いに隣接するバス電極ＸｂおよびＹｂ間を通過した外光ＯＰＴの反射量を少なくすることができ、明室コントラストを向上できる。【００４８】
また、セルＣ１の側壁は、隔壁ＢＲ１およびＢＲ２により構成される。そして、蛍光体ＰＨは、隔壁ＢＲ１の側面に加えて、隔壁ＢＲ２の側面にも塗布されている。このように、この実施形態では、セルＣ１の面積の増加に加えて、蛍光体ＰＨが塗布される面積が増加しているため、画像の輝度を向上できる。【００４９】
図１０の例では、ガラス基材ＲＳ、隔壁ＢＲ１、ＢＲ２が一体に形成されているため、上述した図４に示したガラス基材ＲＳおよび隔壁ＢＲ１に対応する境界を破線で示している。隔壁ＢＲ１、ＢＲ２に入射する外光ＯＰＴの量は、反射防止膜ＡＲおよびアドレス電極ＡＥにより減少する。反射防止膜ＡＲおよびアドレス電極ＡＥに入射した外光ＯＰＴの反射量は、反射防止膜ＡＲおよびアドレス電極ＡＥが黒色化しているため、少ない。【００５０】
以上、第２の実施形態においても、上述した第１の実施形態と同様の効果を得ることができる。また、この実施形態では、隔壁ＢＲ２を設けたことにより、セルＣ１の面積および蛍光体ＰＨが塗布される面積を大きくでき、画像の輝度を向上でき、画像の品位をさらに向上できる。【００５１】
なお、上述した実施形態では、１つの画素が、３つのセル（赤（Ｒ）、緑（Ｇ）、青（Ｂ））により構成される例について述べた。本発明はかかる実施形態に限定されるものではない。例えば、１つの画素を４つ以上のセルにより構成してもよい。あるいは、１つの画素が、赤（Ｒ）、緑（Ｇ）、青（Ｂ）以外の色を発生するセルにより構成されてもよく、１つの画素が、赤（Ｒ）、緑（Ｇ）、青（Ｂ）以外の色を発生するセルを含んでもよい。【００５２】
上述した実施形態では、隔壁ＢＲ１、ＢＲ２が、ガラス基材ＲＳと一体に形成される例について述べた。本発明はかかる実施形態に限定されるものではない。例えば、隔壁ＢＲ１、ＢＲ２は、ペースト状の隔壁材料を塗布し、乾燥、サンドブラスト、焼成工程を経て形成されてもよいし、印刷による積層で形成されてもよい。この場合にも、上述した実施形態と同様の効果を得ることができる。【００５３】
上述した実施形態では、反射防止膜ＡＲの縁部ＥＧ１およびＥ２が、バス電極Ｘｂの縁部ＥＧ３およびバス電極Ｙｂの縁部ＥＧ４とそれぞれ同じ位置になる例について述べた。本発明はかかる実施形態に限定されるものではない。例えば、図１１に示すように、反射防止膜ＡＲの一部は、バス電極Ｘｂ、Ｙｂに対向してもよい。なお、ＰＤＰ１０は、バス電極Ｘｂ、Ｙｂのいずれか一方のみに一部が対向する反射防止膜ＡＲを有してもよい。図１１は、上述した図２のＡ−Ａ’線に沿うＰＤＰ１０の断面に対応している。図１１の例では、反射防止膜ＡＲの縁部ＥＧ１およびＥ２の位置が第１の実施形態（図１−図４）と相違している。その他の構成は、第１の実施形態と同じである。第１の実施形態で説明した要素と同一の要素については、同一の符号を付し、これ等については、詳細な説明を省略する。【００５４】
反射防止膜ＡＲの幅（反射防止膜ＡＲの縁部Ｅ１と縁部Ｅ２との距離）は、互いに隣接するバス電極ＸｂおよびＹｂとの間隔（バス電極Ｘｂの縁部ＥＧ３とバス電極Ｙｂの縁部ＥＧ４との距離）より大きい。したがって、図１１に示したＰＤＰ１０では、互いに隣接するバス電極ＸｂおよびＹｂ間を通過して蛍光体ＰＨに入射する外光ＯＰＴの量を、上述した第１の実施形態に比べて、少なくできる。この場合にも、上述した実施形態と同様の効果を得ることができる。【００５５】
上述した実施形態では、透明電極Ｘｔ、Ｙｔが第２方向Ｄ２に沿って対向する位置に配置される例について述べた。本発明はかかる実施形態に限定されるものではない。例えば、図１２に示すように、透明電極Ｘｔ２、Ｙｔ２の先端部ＳＤ１、ＳＤ２が第１方向Ｄ１に沿って対向する位置に配置されてもよい。図１２は、画像表示面側から見た電極Ｘｂ、Ｘｔ２、Ｙｂ、Ｙｔ２、ＡＥおよび隔壁ＢＲ１の状態を示している。図１２の例では、透明電極Ｘｔ２、Ｙｔ２およびアドレス電極ＡＥが、第１の実施形態と相違している。その他の構成は、第１の実施形態と同じである。第１の実施形態で説明した要素と同一の要素については、同一の符号を付し、これ等については、詳細な説明を省略する。【００５６】
バス電極Ｘｂに接続された透明電極Ｘｔ２の先端ＳＤ１は、バス電極Ｙｂに接続された透明電極Ｙｔ２の先端ＳＤ２に対向している。また、透明電極Ｘｔ２、Ｙｔ２は、対向部を広くするために、Ｔ字形状にそれぞれ形成されている。なお、透明電極Ｘｔ２、Ｙｔ２の形状は、長方形でもよいし、台形でもよい。また、突出部Ａｐは、アドレス電極ＡＥから各セルＣ１の透明電極Ｙｔ２に向けて突出し、アドレス電極ＡＥと一体に形成されている。このため、アドレス電極ＡＥと透明電極Ｙｔ２間に電圧を印加することにより、着目するセルＣ１でアドレス放電を発生させることができる。この場合にも、上述した実施形態と同様の効果を得ることができる。【００５７】
上述した実施形態では、反射防止膜ＡＲがアドレス電極ＡＥから離れて配置される例について述べた。本発明はかかる実施形態に限定されるものではない。例えば、第２方向Ｄ２に沿って互いに隣接するセルＣ１の間に配置された反射防止膜ＡＲは、反射防止膜ＡＲを挟むセルＣ１に対応するアドレス電極ＡＥのみに接続されてもよい。上述した図２の例では、反射防止膜ＡＲは、反射防止膜ＡＲの左側に配置されたアドレス電極ＡＥのみに接続されてもよい。この場合、アドレス電極ＡＥの寄生容量が増加するため、アドレス電極ＡＥに電圧を印加する回路（例えば、上述した図６に示したアドレスドライバＡＤＲＶ）の駆動力を増加させる必要がある。この場合にも、上述した実施形態と同様の効果を得ることができる。また、この場合、反射防止膜ＡＲアドレス電極ＡＥとの隙間を小さくできるため、非発光領域での外光ＯＰＴの反射量をさらに少なくできる。【００５８】
以上、本発明について詳細に説明してきたが、上記の実施形態およびその変形例は発明の一例に過ぎず、本発明はこれに限定されるものではない。本発明を逸脱しない範囲で変形可能であることは明らかである。
【産業上の利用可能性】
【００５９】
本発明は、ディスプレイ装置に使用するプラズマディスプレイパネルに適用できる。
【図１】
2009016689.tif 000003
【図２】
2009016689.tif 000004
【図３】
2009016689.tif 000005
【図４】
2009016689.tif 000006
【図５】
2009016689.tif 000007
【図６】
2009016689.tif 000008
【図７】
2009016689.tif 000009
【図８】
2009016689.tif 000010
【図９】
2009016689.tif 000011
【図１０】
2009016689.tif 000012
【図１１】
2009016689.tif 000013
【図１２】
2009016689.tif 000014
【国際調査報告】
2009016689.tif 000015
2009016689.tif 000016
2009016689.tif 000017
2009016689.tif 000018